(57)【要約】【課題】複数台の電力受信端装置を同時にワイヤレス充電できるようにする。【解決手段】  電磁場を用いて充電のための電流を送るワイヤレス充電装置であって、充電空間を囲む第一の伝送端コイルと、前記第一の伝送端コイルの周辺に配置され、前記充電空間の電磁場のエネルギーを強化するように前記充電空間を囲む鉄心の立板と、を有する伝送端部と、受信端コイルと、前記受信端コイルに対応する受信端鉄心板と、を有するワイヤレス電力受信装置と、を有し、充電のための電流が前記第一の伝送端コイルを流れると前記充電空間に電磁場が生成され、その電磁場によって誘導された電流が、前記受信端コイルに生じるワイヤレス充電装置。【選択図】図９
2019146486.tif 000002
【特許請求の範囲】
【請求項１】
電磁場を用いて充電のための電流を送るワイヤレス充電装置であって、
充電空間を囲む第一の伝送端コイルと、前記第一の伝送端コイルの周辺に配置され、前記充電空間の電磁場のエネルギーを強化するように前記充電空間を囲む鉄心の立板と、を有する伝送端部と、
受信端コイルと、前記受信端コイルに対応する受信端鉄心板と、を有するワイヤレス電力受信装置と、を有し、
充電のための電流が前記第一の伝送端コイルを流れると前記充電空間に電磁場が生成され、その電磁場によって誘導された電流が、前記受信端コイルに生じるワイヤレス充電装置。
【請求項２】
請求項１に記載のワイヤレス充電装置であって、
複数の前記ワイヤレス電力受信装置を有し、それぞれの前記ワイヤレス電力受信装置は、前記受信端コイルと、前記受信端コイルに対応する前記受信端鉄心板とを有し、
前記複数の前記ワイヤレス電力受信装置は、前記充電空間に同時に載置されることができ、充電のための電流が前記第一の伝送端コイルを流れると前記充電空間に電磁場が生成され、その電磁場によって誘導された電流が、前記受信端コイルに生じるワイヤレス充電装置。
【請求項３】
請求項２に記載のワイヤレス充電装置であって、
非金属材質の充電ベースをさらに有し、前記充電ベースは、前記充電空間に対応する一端に開口を有し、前記立板は、前記充電ベースの側壁部に配置されているワイヤレス充電装置。
【請求項４】
請求項３に記載のワイヤレス充電装置であって、
前記充電ベースは、前記複数の前記ワイヤレス電力受信装置に対応して、前記ワイヤレス電力受信装置が置かれる向きをガイドする複数のスライド溝をさらに有し、前記スライド溝は非金属材質であるワイヤレス充電装置。
【請求項５】
請求項４に記載のワイヤレス充電装置であって、
前記充電ベースは、前記側壁部に非平行である底部をさらに有し、前記底部と前記側壁部とは前記充電空間を規定するワイヤレス充電装置。
【請求項６】
請求項１に記載のワイヤレス充電装置であって、
前記第一の伝送端コイルは、第１の方向を中心軸として巻かれており、前記第一の伝送端コイルの中心軸は前記充電空間を通過しており、前記立板は、前記第一の伝送端コイルの中心軸を囲む閉鎖構造を有するワイヤレス充電装置。
【請求項７】
請求項６に記載のワイヤレス充電装置であって、
前記伝送端部は、第２の方向を中心軸とする第二の伝送端コイルをさらに有し、前記第二の伝送端コイルは面に沿って延在する形状を有しており前記充電空間を規定する表面の一つに配置されており、前記第一の伝送端コイルの中心軸は、前記第二の伝送端コイルを通過するワイヤレス充電装置。
【請求項８】
請求項７に記載のワイヤレス充電装置であって、
前記第一の伝送端コイルの中心軸と、前記第二の伝送端コイルの中心軸とは、互いに平行であるワイヤレス充電装置。
【請求項９】
請求項７に記載のワイヤレス充電装置であって、
伝送端部は、前記第二の伝送端コイルに対応する鉄心の底板をさらに有するワイヤレス充電装置。
【請求項１０】
請求項９に記載のワイヤレス充電装置であって、
前記第二の伝送端コイルは、前記底板より前記充電空間の近くにあるワイヤレス充電装置。
【発明の詳細な説明】
【技術分野】
【０００１】
本発明はワイヤレス充電装置及びその充電方法に関し、特に複数の電力受信端に対してワイヤレス充電を行える装置及びその充電方法に関する。
【背景技術】
【０００２】
公知のワイヤレス充電装置の概略図は図１に示され、電力伝送端１０及び電力受信端２０を含み、電力伝送端１０は伝送端コイル１１と伝送端鉄心板１２とを備え、電力受信端２０は同様に受信端コイル２１と受信端鉄心板２２とを備える。電力伝送端１０と電力受信端２０は平行で近接しており、伝送端コイル１１が通電すると電磁場が生成され、それが伝送端鉄心板１２を介して受信端鉄心板２２に送られ、さらに電磁場は受信端コイル２１を介して誘導電力を生成し、ワイヤレス充電の目的を達成する。
【０００３】
しかし、公知のワイヤレス充電装置はいずれも一対一で充電が行われ、電力受信端２０の装置はいずれも電力伝送端１０の充電プラットフォーム上に平らに置かれてワイヤレス充電が行われる。したがって、一台を超える電力受信端２０の装置にワイヤレス充電を行う必要がある場合は、元の電力受信端２０の装置の充電が終わってから、別の電力受信端２０の装置に取り換えるしかなく、そのため非常に不便で、かつ多くの待ち時間を費やすことになる。その原因は、公知の電力伝送端１０の充電プラットフォームの電磁場が上に向かって送られるためであり（図の矢印のように）、平らに置かれた電力受信端２０の鉄心板が電磁場を吸収するため、電磁場がさらに外に向かって送られることがなく、電力伝送端１０の充電プラットフォームが大きくなければ複数の平らに置かれた電力受信端２０の装置を収容することができず、他方、充電プラットフォームが大きい場合は大きな空間を占めるため、商品化の可能性も高くない。
【先行技術文献】
【特許文献】
【０００４】
【特許文献１】台湾特許Ｉ４７２１１６号明細書
【特許文献２】特許第５５３０４９１号明細書
【発明の概要】
【発明が解決しようとする課題】
【０００５】
そのため、複数台の電力受信端装置に対してワイヤレス充電を行える方法を開発し、複数台の電力受信端装置を縦置き、横置き、平置き又は斜め置きにできる装置を設計することによって、複数台の電力受信端装置に対して同時にワイヤレス充電を行うという目的を達成し、かつ充電プラットフォームが占める空間を縮小できるようにすることが求められている。
【０００６】
前記目的を達成するため、本発明の主な技術的特徴は、伝送端鉄心と伝送端コイルとを含み、該伝送端鉄心は底板及び二つの立板を備えて凵状を形成し、その中に充電空間が形成され、その中に複数台のワイヤレス電力受信装置を配列して載置可能であり、各該ワイヤレス電力受信装置は受信端コイルと受信端鉄心板とを含み、かつ該受信端鉄心板は該伝送端鉄心の立板に垂直であり、該伝送端コイルを電流が流れると該充電空間内に電磁場を生成し、伝送端鉄心の立板を介して各受信端鉄心板を通過し、電磁場回路を形成し、各該受信端コイルが該電磁場の誘導でいずれもが充電電力を生成するようにさせるワイヤレス充電装置を提供することにある。
【０００７】
前記目的を達成するため、本発明のさらなる技術的特徴は、まず、底板及び二つの立板を備えて凵状を形成しその中に充電空間が形成された伝送端鉄心と少なくとも一つの伝送端コイルとを配置し、次に、いずれもが受信端コイルと該伝送端鉄心の立板に垂直な受信端鉄心板とを含む一台以上のワイヤレス電力受信装置を該充電空間内に配列し、最後に、該伝送端コイルを電流が流れると該充電空間内に電磁場を生成し、該伝送端鉄心の立板を介して各受信端鉄心板を通過し、電磁場回路を形成し、該複数の受信端コイルが該電磁場の誘導で充電電力を生成するようにさせる、ワイヤレス充電方法を提供することにある。
【０００８】
前記目的を達成するため、本発明のさらなる技術的特徴は、伝送端コイルが少なくとも一組の同心螺旋状の平面コイルとして巻かれて該底板及び／又は少なくとも一つの立板の内側表面に配置された、前記ワイヤレス充電装置を提供することにある。
【０００９】
前記目的を達成するため、本発明のさらなる技術的特徴は、該複数台のワイヤレス電力受信装置が該底板に平行に該充電空間内に配列されるか、又は該複数台のワイヤレス電力受信装置が該底板に垂直に該充電空間内に配列されるか、又は該複数台のワイヤレス電力受信装置が該底板に平行又は垂直ではなく（傾斜状で）該充電空間内に配列される、ワイヤレス充電方法を提供することにある。
【００１０】
前記目的を達成するため、本発明のさらなる技術的特徴は、該伝送端鉄心が複数個であり、少なくとも一つの内層伝送端鉄心と一つの外層伝送端鉄心とを含み、かつ該内層伝送端鉄心は該外層伝送端鉄心内に重ねて配置され、該内層伝送端鉄心の二つの立板は該外層伝送端鉄心の二つの立板より短く、かつ該外層伝送端鉄心の二つの立板の上端は内側に折れ曲がってＬ状になっている、前記ワイヤレス充電装置を提供することにある。
【００１１】
前記目的を達成するため、本発明のさらなる技術的特徴は、底板及び該底板の側縁を取り囲む少なくとも一つの立板を備え、一端が開口した筒状であり、その中に充電空間が形成され、一台以上の該ワイヤレス電力受信装置を配置可能な伝送端鉄心、及び、立板の内側表面を取り囲む第一の伝送端コイルを含み、各ワイヤレス電力受信装置がいずれも受信端コイルと受信端鉄心板とを含み、第一の伝送端コイルを電流が流れると該充電空間に電磁場が生成されて、各受信端コイルが該電磁場の誘導でいずれもが充電電力を生成するようにさせる、ワイヤレス充電装置を提供することにある。
【００１２】
前記目的を達成するため、本発明のさらなる技術的特徴は、底板に巻かれ、第二の伝送端コイルに通電させ、充電空間に電磁場を生成し、該複数の受信端コイルが電磁場の誘導で充電電力を生成するようにさせる第二の伝送端コイルを含むワイヤレス充電装置を提供することにある。
【図面の簡単な説明】
【００１３】
【図１】図１は公知のワイヤレス充電装置の充電概略図である。
【図２】図２は本発明のワイヤレス充電装置の好ましい実施例の概略図である。
【図３】図３は図２の斜視概略図である。
【図４】図４は本発明のワイヤレス充電装置の第一の実施例の斜視概略図である。
【図５】図５は本発明のワイヤレス充電装置の第二の実施例の斜視概略図である。
【図６】図６は本発明のワイヤレス充電装置の第三の実施例の斜視概略図である。
【図７】図７は本発明のワイヤレス充電装置の第四の実施例の斜視概略図である。
【図８】図８は本発明のワイヤレス充電装置の別の好ましい実施例の概略図である。
【図９】図９は本発明のワイヤレス充電装置のさらに別の好ましい実施例の概略図である。
【図１０】図１０は図９のワイヤレス充電装置を倒置したさらに別の好ましい実施例の概略図である。
【発明を実施するための形態】
【００１４】
本発明のワイヤレス充電装置１００は、複数台のワイヤレス電力受信装置２００に対して同時にワイヤレス充電が行え、該複数台のワイヤレス電力受信装置２００はスマートフォン、タブレットＰＣなどのポータブル装置でもよく、又はスマートウォッチ、ブルートゥース(登録商標)イヤホン又はスマートグラスなどのウェアラブル装置でもよい。該複数台のワイヤレス電力受信装置２００はいずれも受信端鉄心板２１０と受信端コイル２２０とを含み、かつ略薄い長方形である。図２に示すのは、本発明のワイヤレス充電装置１００の好ましい実施例の概略図であり、図３は図２の斜視概略図である。該ワイヤレス充電装置１００は伝送端鉄心１１０と伝送端コイル１２０とを含み、該伝送端鉄心１１０は底板１１１を備え二つの立板１１２が連結されて凵状を形成しており、二つの立板１１２の間に充電空間１１３が形成され、複数台の該ワイヤレス電力受信装置２００を該充電空間１１３の中に配列して入れることができ、同時に充電することができる。本発明にはワイヤレス電力受信装置２００を配列して載置する複数種の実施例があるが、それは後述する。
【００１５】
本発明のワイヤレス充電装置１００が、複数台のワイヤレス電力受信装置２００に対して同時に充電が行える原理と方法は図２に示され、該ワイヤレス充電装置１００の凵状の伝送端鉄心１１０を用いて、該受信端鉄心板２１０と該受信端コイル２２０とを該二つの立板１１２の間の充電空間１１３内に載置し、かつ該受信端鉄心板２１０が該二つの立板１１２に垂直になる。こうして、電流が該伝送端コイル１２０を流れると、該充電空間１１３内に電磁場が生成され、該二つの立板１１２を介して各該受信端鉄心板２１０を通過し、図２の破線の矢印の方向に電磁場回路を形成し、各該受信端コイル２２０が該電磁場の誘導で充電電力を生成することができる。したがって複数台のワイヤレス電力受信装置２００がいずれも該二つの立板１１２の間の充電空間１１３に配列されている場合、各受信端鉄心板２１０はいずれも独立して該伝送端鉄心１１０と共に電磁場回路を生成し、それによりいずれも同時に充電を行うことができ、かつ該ワイヤレス電力受信装置２００は該二つの立板１１２の間の範囲内にありさえすれば、底板１１１との間隔がどんなに遠くても充電を行うことができる。
【００１６】
図２及び図３に示すように、該ワイヤレス電力受信装置２００は二つの立板１１２の間に横置きされ、かつ該底板１１１に垂直であるが、本発明の他の実施例では該ワイヤレス電力受信装置２００を立板１１２の間に直立させることができ、もちろん該底板１１１に（平行に）平置きすることも、二つの立板１１２の間に（底板に平行または垂直ではなく）斜め置きすることもでき（図示せず）、該ワイヤレス電力受信装置２００の受信端鉄心板２１０が該二つの立板１１２に垂直でありさえすればよい。本発明の実施例においては、該伝送端コイル１２０（図示せず）は一組の同心螺旋状平面コイルとして巻かれ、該底板１１１及び／又は該二つの立板１１２のいずれかの側の内側表面に配置されてもよい。本発明で該伝送端コイル１２０の配置の多寡は、何台のワイヤレス電力受信装置２００に対してワイヤレス充電を行えるかによっており、実験によれば本発明のワイヤレス充電装置１００は最多で５０台のワイヤレス電力受信装置２００に対して同時にワイヤレス充電を行うことができる。
【００１７】
本発明は複数台のワイヤレス電力受信装置２００を載置して同時に充電を行い、かつワイヤレス充電装置１００の体積をできるだけ縮小する。図４を参照されたい。図４は本発明のワイヤレス充電装置の第一の実施例の斜視概略図であり、本発明のワイヤレス充電装置１００はさらに非金属材質で製造された充電ベース３００を含み、該充電ベース３００は三つの端部が開口した凵状であり、底部３１０と二つの側壁部３２０とを含み、内側に該充電空間１１３が形成され、該伝送端鉄心１１０の底板１１１と二つの立板１１２は該充電ベース３００の底部３１０と二つの側壁部３２０の内側にそれぞれ配置される。
【００１８】
本実施例において、該二つの側壁部３２０の内側表面に上部から底部３１０に向かって延在する複数のスライド溝３２１が設けられ、該複数台のワイヤレス電力受信装置２００は、その側縁をスライド溝３２１に沿わせて該充電空間１１３内に挿入されており、かつ該ワイヤレス電力受信装置２００は該充電空間１１３内に直立し、該ワイヤレス電力受信装置２００は該伝送端鉄心１１０の二つの立板１１２に垂直になる。公知のスマートフォンは長方形薄型で、長辺２１１と短辺２１２とを備えるので、本実施例では長辺２１１は該伝送端鉄心１１０の底板１１１に垂直であり、短辺２１２は該伝送端鉄心１１０の底板１１１に平行であり、言い換えれば、短辺２１２が下を向いて該充電ベース３００内に挿入される。
【００１９】
図５と図２を併せて参照されたい。図５は本発明のワイヤレス充電装置の第二の実施例の斜視概略図であり、図２は図５の側面断面概略図である。本実施例において、該充電ベース３００は三つの端部が開口した凵状であり、該充電ベース３００の底部３１０の内側表面には複数の平行な低板３１１が設けられ、複数の取付溝３１２を形成して、該複数台のワイヤレス電力受信装置２００が該充電空間１１３内に入れられた時、該ワイヤレス電力受信装置２００の一側縁が該取付溝３１２内に入るようにし、該ワイヤレス電力受信装置２００が該充電ベース３００内に直立するように配列でき、かつ該ワイヤレス電力受信装置２００が該伝送端鉄心１１０の二つの立板１１２（図示せず）に垂直になるようにする。本実施例においては、短辺２１２は該伝送端鉄心１１０の底板１１１に垂直で、長辺２１１は該伝送端鉄心１１０の底板１１１に平行であり、言い換えれば、長辺２１１が下を向いて該充電ベース３００内に挿入される。
【００２０】
図６と図２を参照されたい。図６は本発明のワイヤレス充電装置の第三の実施例の斜視概略図であり、図２は図６の側面断面概略図とすることができる。本実施例において、該充電ベース３００は一側辺が開口した箱状であり、該伝送端鉄心１１０の底板１１１（破線）は該開口の反対の側辺に設けられ、該二つの立板１１２（破線）は該二つの側壁部３２０に設けられ、本実施例において、該二つの側壁部３２０の内側には複数の互いに平行な仕切り板３２２が設けられ、複数の収容溝３２３が形成されている。各収容溝３２３内にはワイヤレス電力受信装置２００を入れることができ、かつ該複数台のワイヤレス電力受信装置２００は該底板１１１に平行となるように該充電空間１１３内に配列される。
【００２１】
図７を参照されたい。図７は本発明のワイヤレス充電装置の第四の実施例の斜視概略図である。本実施例において、該充電ベース３００は、一側辺が開口した箱状であり、該伝送端鉄心１１０の底板１１１は、該充電ベース３００の底部３１０に設けられている。また、二つの立板１１２は、該二つの側壁部３２０に設けられている。本実施例において、該二つの側壁部３２０の内側表面には、いずれも複数の平行な傾斜遮蔽板３２４が設けられ、側辺の開口から該反対の側辺に向かって下に傾斜して延在する複数の傾斜状のスロット３２５が形成され、該複数台のワイヤレス電力受信装置２００が該充電空間１１３内に置かれた時に、底板１１１と平行又は垂直ではない傾斜状に該充電空間内に配列されるが、該複数台のワイヤレス電力受信装置２００の受信端鉄心板２１０はやはり該二つの立板１１２に垂直である。
【００２２】
図８を参照されたい。図８は本発明のワイヤレス充電装置の別の好ましい実施例の概略図である。本実施例において、ワイヤレス充電装置４００は複数の伝送端鉄心を備え、該複数の伝送端鉄心は少なくとも一つの内層伝送端鉄心４１０と一つの外層伝送端鉄心４２０とを含み、各内層伝送端鉄心４１０と外層伝送端鉄心４２０はいずれも底板４１１、４２１及び二つの立板４１２、４２２を備え、かつ内層伝送端鉄心４１０は外層伝送端鉄心４２０の充電空間１１３内に重ねて配置される。図８の実施例では二層の伝送端鉄心が重ねて配置され、該内層伝送端鉄心４１０の底板４１１と二つの立板４１２はいずれも該外層伝送端鉄心４２０の底板４２１と二つの立板４２２に平行である。しかし他の実施例においては、該内層伝送端鉄心の底板及び二つの立板は、該外層伝送端鉄心の底板及び二つの立板と平行でなくてもよく、かつ伝送端鉄心の重なる層の数及び内層と外層の伝送端鉄心の重なり方は、本発明で例として挙げた実施例に制限されない。
【００２３】
図８の実施例において、該内層伝送端鉄心４１０の二つの立板４１２は該外層伝送端鉄心４２０の二つの立板４２２より短く、該外層伝送端鉄心４２０の二つの立板４２２の上端は内側に折れ曲がってＬ状になって、該外層伝送端鉄心４２０の二つの立板４２２が該複数台のワイヤレス電力受信装置２００に近接できるようになっている。また本実施例において、該ワイヤレス充電装置４００は複数の伝送端コイル４３０を備え、各伝送端コイル４３０はいずれも伝送端鉄心４１０、４２０に対応している。本発明の図８の実施例は、前述した図４〜図７の充電ベースに組み合わせて使用できるが、ここではこれ以上詳しく述べない。
【００２４】
図９を参照されたい。図９は本発明のワイヤレス充電装置のさらに別の好ましい実施例の概略図である。本実施例において、該ワイヤレス充電装置５００は伝送端鉄心５１０と第一の伝送端コイル５２０とを含み、該伝送端鉄心５１０は底板５１１と該底板５１１の側縁を取り囲む少なくとも一つの立板５１２とを備え、それにより該伝送端鉄心５１０は一端が開口した筒状になり、その中に充電空間１１３が形成される。図９が示す実施例において、該立板５１２は一つの矩形の筒状となっているが、他の実施例（図示せず）では該伝送端鉄心は一端が開口した円形の筒状、楕円形の筒状又はその他の多角形の筒状などであってもよい。
【００２５】
本実施例において、該第一の伝送端コイル５２０は該立板５１２の内側表面を取り囲んでいるので、電流が該第一の伝送端コイル５２０を流れると、該立板５１２内の充電空間１１３内に電磁場を生成し、該複数台のワイヤレス電力受信装置２００を該充電空間１１３内に載置すると、各受信端コイルがいずれも該電磁場の誘導で充電電力を生成する。本実施例では、該複数台のワイヤレス電力受信装置２００を形式に関わらず任意に該充電空間１１３内に載置することができるため、該ワイヤレス電力受信装置２００が該第一の伝送端コイル５２０と伝送端鉄心５１０とで取り囲む充電空間内にありさえすれば、該ワイヤレス電力受信装置２００は電磁場の誘導で充電電力を生成できる。
【００２６】
本実施例において、該ワイヤレス充電装置５００はさらに該底板５１１に配置された第二の伝送端コイル５３０を含み、該第二の伝送端コイル５３０は一組の同心螺旋状平面コイルとして巻かれて底板５１１の内側表面に配置されるので、電流が該第二の伝送端コイル５３０を流れると、該充電空間１１３内に電磁場を生成でき、それにより第一の伝送端コイル５２０が生成した電磁場と合わせられて充電空間１１３内の電磁場のエネルギーを強化することができ、該複数台のワイヤレス電力受信装置２００を該充電空間１１３内に入れた時、同様に該複数の受信端コイルがエネルギーを強化された電磁場の誘導で充電電力を生成するようにさせ、該複数台のワイヤレス電力受信装置２００の充電速度を速めることができる。
【００２７】
図１０を参照されたい。これは、図９のワイヤレス充電装置を倒置したさらに別の好ましい実施例の概略図である。伝送端鉄心５１０の底板５１１は矩形状の鉄心板であり、立板５１２の内側表面は同様に該第一の伝送端コイル５２０が巻かれており、該第二の伝送端コイル５３０は該底板５１１の外側表面を取り囲んでおり、該伝送端鉄心５１０の底板５１１と立板５１２がいずれもコイルで巻かれるようにし、充電空間１１３内の電磁場のエネルギーを強化することができる。
【００２８】
図９及び図１０の実施例において、ワイヤレス充電装置５００は充電ベース内（図示せず）に配置することができ、該充電ベースは非金属材質で、該伝送端鉄心５１０の形状に適合し、該充電ベースは一端が開口した矩形の筒状、円形の筒状、楕円形の筒状又は多角形の筒状などにすることができ、該伝送端鉄心５１０の底板５１１が該充電ベースの底部に配置され、該伝送端鉄心５１０の立板５１２が該充電ベースの側壁部に配置される。同様に、該充電ベースの充電空間内には図４のように複数のスライド溝３２１が設けられるか、又は図５のように複数の平行な低板３１１が設けられるか、又は図６、７のように複数の仕切り板３２２または傾斜遮蔽板３２４が設けられて、該複数台のワイヤレス電力受信装置２００を該充電ベース内に整然と横置き、縦置き、平置きまたは斜め置きなどに配列できる。
【００２９】
上記を総合すると、本発明の提供するワイヤレス充電装置及びその充電方法は、複数台のワイヤレス電力受信装置に対して同時にワイヤレス充電を行え、かつワイヤレス充電装置の占める空間を大幅に縮小でき、公知のワイヤレス充電装置が達成できなかった多くの機能と長所とを備えるので、本発明は公知の設計とはまったく異なり、全体的な使用価値を高めることができ、さらにその出願はこれまでの刊行物には見られず、開示されて使用されてもおらず、特許の要件に合致しているので、ここに法に基づいて特許を出願するものである。
【符号の説明】
【００３０】
１００  ワイヤレス充電装置
１１０  伝送端鉄心
１１１  底板
１１２  立板
１１３  充電空間
２００  ワイヤレス電力受信装置
２１０  受信端鉄心板
２１１  長辺
２１２  短辺
２２０  受信端コイル
３００  充電ベース
３１０  底部
３１１  低板
３１２  取付溝
３２０  側壁部
３２１  スライド溝
３２２  仕切り板
３２３  収容溝
３２４  傾斜遮蔽板
３２５  スロット
４００  ワイヤレス充電装置
４１０  内層伝送端鉄心
４１１  底板
４１２  立板
４２０  外層伝送端鉄心
４２１  底板
４２２  立板
４３０  伝送端コイル
５００  ワイヤレス充電装置
５１０  伝送端鉄心
５１１  底板
５１２  立板
５２０  第一の伝送端コイル
５３０  第二の伝送端コイル
【図１】
2019146486.tif 000003
【図２】
2019146486.tif 000004
【図３】
2019146486.tif 000005
【図４】
2019146486.tif 000006
【図５】
2019146486.tif 000007
【図６】
2019146486.tif 000008
【図７】
2019146486.tif 000009
【図８】
2019146486.tif 000010
【図９】
2019146486.tif 000011
【図１０】
2019146486.tif 000012